(57)【要約】      （修正有）【課題】全ての設置作業を重機を用いること無く実施することができ、また所望の食害防止効果を奏し得、更に石灰藻の繁殖を防止することができる藻類栽培具、及び当該藻類栽培具を用いて大型藻類を栽培する方法を提供する。【解決手段】コンブ・ワカメ・アカモク・ヒジキ等の大型藻類を繁殖させる本体２を備え、本体２は回動可能な形状になっている。また、本体２の比重は当該本体２が設置される海域の海水の比重の１００％以上１４０％以下であり、本体２の総質量Ｗ（ｇ）はＷ＝２８００×（１．５９／γ）（γは本体２の比重）によって求められる値以下である。かかる本体２の表面には複数の細孔３が設けてある。【選択図】図１
2017112885.tif 000002
【特許請求の範囲】
【請求項１】
コンブ・ワカメ・アカモク・ヒジキ等の大型藻類を栽培する藻類栽培具において、
前記大型藻類を繁殖させる本体を備え、
該本体は回動可能な形状になっている
ことを特徴とする藻類栽培具。
【請求項２】
前記本体の比重は当該本体が設置される海域の海水の比重の１００％以上１４０％以下であり、前記本体の総質量Ｗ（ｇ）は次式によって求められる値以下である請求項１記載の藻類栽培具。
Ｗ＝２８００×（１．５９／γ）
ただし、γは本体の比重
【請求項３】
前記本体の比重は前記海域の海水の比重の１００％以上１２５％以下である請求項２記載の藻類栽培具。
【請求項４】
前記本体の総質量Ｗ（ｇ）は次のいずれかの式によって求められる値以下である請求項２又は３記載の藻類栽培具。
Ｗ＝６５０×（γ１／１．１９）
Ｗ＝６５０×（１．１９／γ２）
ただし、γ１、γ２は本体の比重
γ１≧１．１９
γ２＜１．１９
【請求項５】
海底に埋入させる杭部材と、該杭部材と前記本体との間を連結する連結部材とを具備する請求項１から４のいずれかに記載の藻類栽培具。
【請求項６】
本体の表面に複数の細孔及び／又は凹部が設けてある請求項１から５のいずれかに記載の藻類栽培具。
【請求項７】
請求項１から６のいずれかに記載の藻類栽培具を用いてコンブ・ワカメ・アカモク・ヒジキ等の大型藻類を栽培するに際して、
前記本体は満潮時の水深が５ｍ以下の海域に設置することを特徴とする藻類栽培方法。
【発明の詳細な説明】
【技術分野】
【０００１】
本発明は、コンブ・ワカメ・アカモク・ヒジキ等、海洋動物にとって有用な大型藻類を栽培するために用いる藻類栽培具、及び該藻類栽培具を用いて藻類、特にコンブ・ワカメ・アカモク・ヒジキ等の大型藻類を栽培する方法に関する。
【背景技術】
【０００２】
藻場は海洋動物の生息環境にとって重要であるが、コンブ・ワカメ・アカモク・ヒジキ等、海洋動物にとって有用な大型藻類が岩礁に生じている天然藻礁にあっては、主に食害によって大型藻類が退行した岩礁の表面が、硬い殻のような石灰藻で覆いつくされ、大型藻類が長期に亘って繁殖できなくなる、所謂磯焼け現象が多く発生しており、藻場が減少するという問題が生じている。かかる食害はウニといった藻食動物によってもたらせられている。また、磯焼けを生じさせる石灰藻は一般的に、紅藻サンゴモ目に属する無節サンゴモであり、細胞壁に石灰を沈着させながら短丈で増殖するため、一見すると石状の瘤のようである。
【０００３】
磯焼けが生じた海域に藻場を回復させるため、魚礁ともなり得る人工藻礁を海底に設置することが行われている。しかし、そのような人工藻礁はコンクリートで形成した大型の構造物であるため製造コストが嵩み、加えて運搬及び設置に重機を必要とするため設置コストも嵩む上に、大型であるため設置場所が制限されていた。更に、かかる人工藻礁では藻食動物による食害を防止することはできないため、人工藻礁に磯焼けが生じるという事態も発生していた。そこで、後記する特許文献１には次のような藻場増殖礁が提案されている。
【０００４】
図１４は特許文献１に開示された藻場増殖礁を示す斜視図であり、図中、３１は籠状の保持具、３２は藻類を育成させるコンクリート製の板状の育成部材である。保持具３１は、高さ方向へ所定距離を隔てて配した複数の環状フレームを具備しており、各環状フレームは、その周方向へ適宜の間隔で配置された複数の縦フレームによって支持固定されている。各環状フレームの直径は下段側から上段側に向かうに従って小さくなしてあり、各環状フレーム及び各縦フレームは、最上段の環状フレームの開口部を除いて、金属製の網で囲繞してある。そして、この網で囲まれた収容空間内に、適宜の大きさの複数の石Ｒ，Ｒ，…を投入して重しにするようになっている。
【０００５】
前述した環状フレームと縦フレームとの交差箇所であって、最下段の環状フレームから適宜高さを隔てた位置には、それぞれ金属板３３，３３，…が取り付けてあり、各金属板３３，３３，…にはネジ軸が外方へ向かって突設してある。前述した育成部材３２の略中央位置には育成部材の厚み方向へ貫通する貫通孔が開設してあり、該貫通孔に前述した金属板３３のネジ軸を貫通させて、該ネジ軸の育成部材３２から突出した部分にナット部材３５を螺合させることによって、育成部材３２を保持具３１に着脱可能に固定してある。
【０００６】
この育成部材３２は作業員が一人で運搬及び取り付け作業を行える大きさ及び重さになしてあるため、重機を用いることなく、育成部材３２を保持具３１に取り付け、又は保持具３１から取り外すことができる。
【先行技術文献】
【特許文献】
【０００７】
【特許文献１】特開２００１−２９９１３３号公報
【発明の概要】
【発明が解決しようとする課題】
【０００８】
しかしながら、このような従来の藻場増殖礁にあっては、育成部材３２の運搬及び取り付け作業等は重機を用いることなく実施することができるものの、保持具３１の運搬及び設置作業は重機を用いる必要が未だ残っている。また、育成部材３２は最下段の環状フレームから適宜高さを隔てた位置に取り付けられているため、藻食動物による食害を低減させることは期待できるが、藻食動物が金属製の網を登ることは不可能ではないため、所望の食害防止効果を奏し得ない。更には、育成部材３２に石灰藻が付着繁殖して大型藻類の発育を阻害する虞があるという問題もあった。
【０００９】
本発明は斯かる事情に鑑みてなされたものであって、全ての設置作業を重機を用いること無く実施することができ、また所望の食害防止効果を奏し得、更に石灰藻の繁殖を防止することができる藻類栽培具、及び当該藻類栽培具を用いて大型藻類を栽培する方法を提供する。
【課題を解決するための手段】
【００１０】
（１）本発明に係る藻類栽培具は、コンブ・ワカメ・アカモク・ヒジキ等の大型藻類を栽培する藻類栽培具において、前記大型藻類を繁殖させる本体を備え、該本体は回動可能な形状になっていることを特徴とする。
【００１１】
本発明の藻類栽培具にあっては、コンブ・ワカメ・アカモク・ヒジキ等の大型藻類を繁殖させる本体を備えており、この本体は、球状、ラグビー球状、卵状、円柱状、円筒状等、海底面で回動可能な形状になっている。このように、本体が球状等の回動可能な形状になっているため、ウニというような藻食動物は多くの場合、本体と海底面とがなす角部に入り込んでしまって反転できずに、環状の角部内を本体の中心軸と同軸上に移動する。例えばウニの口部は腹面の略中央に位置するため、反転できずに環状の角部内を本体の中心軸と同軸上に移動するウニにあっては、その口部が本体の表面に接触しないので、本体表面に発生した大型藻類を食することができない。
【００１２】
また、本体と海底面とがなす角部に入り込んだ藻食動物が本体上へ登ろうとすることがあるが、かかる場合、当該藻食動物の重みが本体に外力となって作用して本体が回動するため、藻食動物は本体から振り落とされる。従って、本体表面に発生した大型藻類が藻食動物に食されることが防止される。
【００１３】
一方、海底に設置された本体の表面に石灰藻が繁殖して石灰藻の瘤が形成され、大型藻類の繁殖が妨げられる虞があるが、石灰藻の瘤は硬く柔軟性がない上に本体の表面から突出しているため、波等の海流によって本体が回動される際に、石灰藻の瘤が海底面と密に接触して、本体の表面から石灰藻の瘤が除去される。ここで、本体の表面に発生した大型藻類は柔軟性に富むため、本体が回動される際であっても、大型藻類は様々な方向へ姿勢を変更して海底面と密に接触することを避けることができ、本体の表面から除去されることが可及的に回避される。
【００１４】
ところで、本体表面に発生した新芽が成長して大型の藻になると、当該藻は海面方向へ伸長するので、かかる藻の浮力によって、本体の姿勢は一定の方向に保持されようとする。この状態で、藻食動物が本体上へ登ろうとすると、当該藻食動物の重みが本体に外力となって作用して本体が揺動するため、前同様、藻食動物は本体から振り落とされる。
【００１５】
同様に、成長した藻が固着している本体の表面に石灰藻が繁殖して石灰藻の瘤が形成されようとする場合、本体が揺動するため、石灰藻の瘤が海底面と密に接触して、本体の表面から石灰藻の瘤が除去される。
【００１６】
（２）本発明に係る藻類栽培具は、前記本体の比重は当該本体が設置される海域の海水の比重の１００％以上１４０％以下であり、前記本体の総質量Ｗ（ｇ）は次式によって求められる値以下であることを特徴とする。
Ｗ＝２８００×（１．５９／γ）
ただし、γは本体の比重
【００１７】
本発明の藻類栽培具にあっては、本体の比重は当該本体が設置される海域の海水の比重の１００％以上１４０％以下である。本体の比重が当該本体が設置される海域の海水の比重未満であると、本体が海底面に留まることができずに浮遊してしまうという問題が生じ、また本体の比重が当該本体が設置される海域の海水の比重の１４０％を超えると、本体を砂質の海底に設置した場合に当該本体が海底内へ埋入してしまう。
【００１８】
これに対して、本体の比重が当該本体が設置される海域の海水の比重の１００％以上１４０％以下であると、海底面の本体が当接する部分に必要以上の質量が印加されないように、本体の質量と本体に作用する浮力とがバランスされるため、本体は海底内へ埋入することが可及的に回避され、設置された位置に留まることができる。加えて、前述したように本体は回動可能な形状であるので、本体に何らかの外力が加えられた場合、当該本体は設置された海底面で回動又は揺動することができる。
【００１９】
更に、前記本体の総質量Ｗ（ｇ）はＷ＝２８００×（１．５９／γ）（γは本体の比重）によって求められる値以下である。
【００２０】
本体の総質量Ｗ（ｇ）が上式によって求められる値を超えた場合、本体の表面に出芽しようとする大型藻類の新芽が本体から印加される質量に抗することができないため、大型藻類の繁殖が困難となる。これに対して、本体の総質量Ｗが上式によって求められる値以下である場合、本体の表面に発生した新芽は柔軟性に富むため、新芽は様々な方向へ姿勢を変更して海底面と密に接触することを避けることができ、大型藻類は本体から印加される質量に抗して繁殖することができる。また、本体の総質量Ｗ（ｇ）が上式によって求められる値以下であるため、作業員は重機を用いることなく本体を海底の適宜の位置に設置することができる。
【００２１】
（３）本発明に係る藻類栽培具は、前記本体の比重は前記海域の海水の比重の１００％以上１２５％以下であることを特徴とする。
【００２２】
本発明の藻類栽培具にあっては、本体の比重は前記海域の海水の比重の１００％以上１２５％以下であるため、本体は海底内へ埋入することが無く、設置された位置に留まることができる。
【００２３】
（４）本発明に係る藻類栽培具は、前記本体の総質量Ｗ（ｇ）は次のいずれかの式によって求められる値以下であることを特徴とする。
Ｗ＝６５０×（γ１／１．１９）
Ｗ＝６５０×（１．１９／γ２）
ただし、γ１、γ２は本体の比重
γ１≧１．１９
γ２＜１．１９
【００２４】
本発明の藻類栽培具にあっては、本体の総質量Ｗ（ｇ）は、当該本体が設置される海域の海水の比重γ１が１．１９以上の場合は、Ｗ＝６５０×（γ１／１．１９）によって求められる値以下であり、当該本体が設置される海域の海水の比重γ２が１．１９未満である場合は、Ｗ＝６５０×（１．１９／γ２）によって求められる値以下である。
【００２５】
本体の総質量Ｗが上記両式によって求められる値以下である場合、海底面の本体が当接する部分に印加される質量がより少ないため、本体の表面に大型藻類を確実に生育させることができるのに加え、海流が弱い海域又は深度がより大きい海域等、本体を回動させる外力が比較的弱い海域に本体が設置された場合であっても、本体が十分に回動又は揺動することができる。
【００２６】
また、本体の総質量Ｗ（ｇ）がより軽量であるため、海底への設置作業において、作業員は重機を用いることなく一度に複数個の本体を取り扱うことができる。
【００２７】
（５）本発明に係る藻類栽培具は、海底に埋入させる杭部材と、該杭部材と前記本体との間を連結する連結部材とを具備することを特徴とする。
【００２８】
本発明の藻類栽培具にあっては、海底に埋入させる杭部材と、該杭部材と前記本体との間を連結する連結部材とを具備しており、本体を海底の適宜位置に設置し、杭部材の頭部を殴打等することによって当該杭部材を海底に埋入させる。杭部材と本体とは連結部材によって連結されているため、前述した網状部材を用いることなく、本体を設置位置に係留することができる。
【００２９】
（６）本発明に係る藻類栽培具は、本体の表面に複数の細孔及び／又は凹部が設けてあることを特徴とする。
【００３０】
本発明の藻類栽培具にあっては、本体の表面に複数の細孔及び／又は凹部が設けてある。かかる細孔及び／又は凹部は本体の素材に応じて例えば、本体の製造過程の適宜タイミングで、本体の表面を発泡させることによって、また、複数の凹凸を備える部材を本体の表面に押し付けることによって形成することができる。このように本体の表面に複数の細孔及び／又は凹部を設けることによって、本体が設置された海域に浮遊する大型藻類の遊走子又は卵が各細孔及び／又は凹部内へ取り込まれてそこに着床するため、発芽した幼体が本体の表面から外方へ向かって成長して行く。ここで、凹部は適宜の長さと幅とを有しており、幅は１ｍｍ程度〜５ｍｍ程度になすと好適である。同様に、細孔の直径も１ｍｍ程度〜５ｍｍ程度になすと好適である。
【００３１】
（７）本発明に係る藻類栽培方法は、前記本体は満潮時の水深が５ｍ以下の海域に設置することを特徴とする。
【００３２】
本発明の藻類栽培方法にあっては、本体は満潮時の水深が５ｍ以下の海域に設置する。満潮時の水深が５ｍを超える海域にあっては、波といった外力が本体に伝わりにくく、そのような海域に本体が設置された場合、本体が回動する頻度が少なく、本体の表面から石灰藻の瘤を除去し得ない虞がある。これに対して、満潮時の水深が５ｍ以下の海域に本体を設置した場合、特に干潮時に外力が本体に作用して本体が回動するため、本体の表面から石灰藻の瘤を確実に除去することができる。
【図面の簡単な説明】
【００３３】
【図１】本発明に係る藻類栽培具の一例を示す模式的外観斜視図である。
【図２】図１に示した藻類栽培具の動作を説明する説明図である。
【図３】図１に示した藻類栽培具を海底に設置する方法を説明する説明図である。
【図４】図１に示した藻類栽培具を海底に設置する方法を説明する説明図である。
【図５】本発明に係る藻類栽培具の使用様態を示す斜視図である。
【図６】本発明に係る他の藻類栽培具の使用様態を示す斜視図である。
【図７】発明を実施するための第２の形態に係る藻類栽培具の使用様態を示す模式図である。
【図８】本試験に用いた反復振動機の動作を説明する説明図である。
【図９】本発明例１−１に係る本体Ｈ１を撮像した撮像図である。
【図１０】対照例Ｈ１−１に係る本体Ｈ１を撮像した撮像図である。
【図１１】総質量が略８２０ｇの本体Ｈ１を用いて反復振動させながらアカモクを栽培した結果を示すグラフである。
【図１２】総質量が略２８００ｇの本体Ｈ２を用いて反復振動させながらアカモクを栽培した結果を示すグラフである。
【図１３】大型藻類を取り付けた本体とウニとを同一水槽中に配置させ、それらを経時的に撮像した撮像図である。
【図１４】特許文献１に開示された藻場増殖礁を示す斜視図である。
【発明を実施するための形態】
【００３４】
（発明を実施するための第１の形態）
本発明に係る藻類栽培具を図面に基づいて詳述する。
なお、本実施の形態で説明する藻類栽培具は、本発明の趣旨を説明する一例であり、本発明はその趣旨を逸脱しない範囲での変形や改造を含むことはいうまでもない。
【００３５】
図１は本発明に係る藻類栽培具の一例を示す模式的外観斜視図であり、図中、２は大型藻類を繁殖させるための本体である。図１に示したように、本体２は球状をなしており、これによって本体２は海底面を回動可能になしてある。本体２はセメント、樹脂、ゴム、ガラス、石、金属、木材、繊維、紙等又はこれらの内から適宜混合した混合物等の素材を用いて球状に成形してあり、本体２の表面には複数の細孔３，３，…が設けてある。なお、本体２は単層であってもよいし、中心へ向かって複数層になるように構成してもよい。本体２は後述するように所定の比重及び質量が要求され、また、本体２の表面は所要の摩耗耐久性が要求されるが、後者の場合、それら要求を満足するための設計自由度が大きいため好適である。
【００３６】
前述した細孔３，３，…は本体２の素材に応じて例えば、本体２の製造過程の適宜タイミングで、本体２の表面を発泡させることによって、また、複数の凹凸を備える部材を本体２の表面に押し付けることによって形成することができるが、これらに限られない。なお、細孔の直径は１ｍｍ程度〜５ｍｍ程度に設定するとよい。このように本体２の表面に複数の細孔を設けることによって、本体２が設置された海域に浮遊する大型藻類の遊走子又は卵が各細孔３，３，…内へ取り込まれてそこに着床するため、発芽した幼体が本体２の表面から外方へ向かって成長して行く。
【００３７】
一方、細孔３，３，…に代えて、複数の凹部を本体２の表面に形成しておいてもよい。このとき、各凹部は幅と長さと有しており、各凹部の幅は１ｍｍ程度〜５ｍｍ程度に設定する。かかる凹部によっても、細孔３，３，…と同様に、大型藻類の遊走子又は卵が各細孔３，３，…内へ取り込まれてそこに着床するため、発芽した幼体が本体２の表面から外方へ向かって成長して行く。なお、本体２の表面は、滑面であっても粗面であってもよく、また前記凹部より大きな寸法の凹凸が形成されていてもよい。
【００３８】
このような本体２にあってはその比重を、当該本体２が設置される海域の海水の比重の１００％以上１４０％以下、より好ましくは前記海水の比重の１００％以上１２５％以下になしてある。更に好ましくは、前記海水の比重の１００％以上１２０％以下になしてある。例えば、本体２が設置される海水の比重が１．０２５（２０℃／３５ｐｓｕ）である場合、本体２の比重は１．０２５以上１．４３（１．３３４）以下、より好ましくは１．０２５以上１．２８以下、更に好ましくは、１．０２５以上１．２３以下になす。
【００３９】
ここで、本体２の比重が当該本体２が設置される海域の海水の比重未満であると、本体２が海底面に留まることができずに浮遊してしまうという問題が生じ、また本体２の比重が当該本体２が設置される海域の海水の比重の１４０％を超えると、本体２を砂質の海底に設置した場合に当該本体２が海底内へ埋入してしまう。
【００４０】
これに対して、本体２の比重が当該本体２が設置される海域の海水の比重の１００％以上１４０％以下であると、海底面の本体２が当接する部分に必要以上の質量が印加されないように、本体２の質量と本体２に作用する浮力とがバランスされるため、本体２は海底内へ埋入することが可及的に回避され、設置された位置に留まることができる。加えて、前述したように本体２は球状になしてあるので、本体２に何らかの外力が加えられた場合、当該本体２は設置された海底面で回動又は揺動することができる。
【００４１】
また、本体２の比重が海水の比重の１００％以上１２５％以下の場合、本体２は海底内へ埋入することが無く、設置された位置に留まることができる。
【００４２】
更に、本体２の比重が海水の比重の１００％以上１２０％以下の場合、海底面の本体２が当接する部分に印加される質量がより少ないため、本体が海流が比較的強い砂質の海域に設置された場合であっても、本体２が海底内へ埋入することが回避される。また、海流が弱い海域又は深度がより大きい海域等、本体２を回動させる外力が比較的弱い海域に本体２が設置された場合であっても、海底面の本体２が当接する部分に印加される質量がより少ないため、本体２が十分に回動又は揺動することができる。
【００４３】
一方、本体２の総質量Ｗ（ｇ）は次の（１）式によって求められる値以下、好ましくは次の（２）式又は（３）式によって求められる値以下にしてある。
Ｗ＝２８００×（１．５９／γ）        …（１）
Ｗ＝  ６５０×（γ１／１．１９）        …（２）
Ｗ＝  ６５０×（１．１９／γ２）        …（３）
ただし、γ，γ１，γ２は本体の比重
γ１≧１．１９
γ２＜１．１９
【００４４】
本体２の総質量Ｗ（ｇ）が（１）式によって求められる値を超えた場合、本体２の表面に出芽しようとする大型藻類の新芽が本体２から印加される質量に抗することができないため、大型藻類の繁殖が困難となる。これに対して、本体２の総質量Ｗが前記（１）式によって求められる値以下である場合、本体２の表面に発生した新芽は柔軟性に富むため、新芽は様々な方向へ姿勢を変更して海底面と密に接触することを避けることができ、本体２から印加される質量に抗することができる。
【００４５】
一方、本体２の総質量Ｗが前記（２）式又は（３）式によって求められる値以下である場合、海底面の本体２が当接する部分に印加される質量がより少ないため、本体２の表面に大型藻類を確実に生育させることができるのに加え、海流が弱い海域又は深度がより大きい海域等、本体２を回動させる外力が比較的弱い海域に本体２が設置された場合であっても、本体２が十分に回動又は揺動することができる。
【００４６】
なお、本体２の総質量Ｗの下限値は、本体２の外寸に基づいて適宜に定めればよいが、例えば、本体２の体積が６５ｃｍ３であり、比重が１．０２５である場合、本体２の総質量Ｗの下限値は６６．６ｇである。球状の本体２の体積が６５ｃｍ３である場合、本体２の直径は略５ｃｍである。本体２の外寸がこれより小さい場合、本体２が海底面上で円滑に回動又は揺動することが困難になる虞がある。ここで、球状の本体２の場合、本体２の直径は略５ｃｍに限られない。本体２が設置される海域に応じて、当該海域の海底面上で本体２が円滑に回動又は揺動することができ、ウニといった藻食動物が本体２に登ることができない外寸であればよい。
【００４７】
次に、図１に示した藻類栽培具の動作について説明する。
前述したように、本体２に何らかの外力が加えられた場合、当該本体２は設置された海底面で回動する。例えば、波浪が本体２に当たった場合にも本体２が回動するので、本体２が設置された海域に浮遊する大型藻類の遊走子又は卵が当該本体２表面の全領域に着床することができ、また本体２表面の全領域に日光を当てることができる。そのため、本体２表面の可及的に広い領域で大型藻類の新芽を発生させることができる。
【００４８】
ところで、ウニＵは大型藻類の食害を招来する主な藻食動物であるが、前述した如く本体２の表面に大型藻類の新芽が発生すると、ウニＵは棘を動かし、また管足を使って本体２上へ登ろうとする。このとき、本体２が球状であるため、半球状のウニＵは多くの場合、本体２と海底面とがなす角部に入り込んでしまって反転できずに、環状の角部内を本体２の中心軸と同軸上に移動する。ウニＵの口部は腹面の略中央に位置するため、前述したように反転できずに、環状の角部内を本体２の中心軸と同軸上に移動するウニＵにあっては、その口部が本体２の表面に接触しないので、本体２表面に発生した新芽を食することができない。
【００４９】
しかしながら、稀ではあるが、本体２と海底面とがなす角部に入り込んだウニＵが反転して本体２上へ登ろうとすることがあるが、かかる場合、当該ウニＵの重みが本体２に外力となって作用して本体２が回動するため、図２（ａ）に示したように、当該ウニＵは本体２から振り落とされる。従って、本体２表面に発生した大型藻類の新芽がウニＵによって食されることが防止される。
【００５０】
一方、海底に設置された本体２の表面に石灰藻が繁殖して石灰藻の瘤Ｓが形成され、大型藻類の繁殖が妨げられる虞があるが、石灰藻の瘤Ｓは硬く柔軟性がない上に本体２の表面から突出するため、波浪及び／又は海流等によって本体２が回動される際に、石灰藻の瘤Ｓが海底面と密に接触して、図２（ｂ）に示したように、本体２の表面から石灰藻の瘤が除去され得、また完全に除去されない場合であっても石灰藻の繁茂が可及的に抑制される。ここで、本体２の表面に発生した大型藻類の新芽は柔軟性に富むため、本体２が回動される際であっても、新芽は様々な方向へ姿勢を変更して海底面と密に接触することを避けることができ、本体２の表面から除去されることが可及的に回避される。
【００５１】
一方、本体２表面に発生した新芽が成長して大型の藻Ａになると、当該藻Ａは海面方向へ伸長するので、かかる藻Ａの浮力によって、図２（ｃ）に示したように、本体２の姿勢は一定の方向に保持されようとする。この状態で、ウニＵが本体２上へ登ろうとすると、当該ウニＵの重みが本体２に外力となって作用して本体２が揺動するため、前同様、当該ウニＵは本体２から振り落とされる。
【００５２】
同様に、成長した藻Ａが固着している本体２の表面に石灰藻が繁殖して石灰藻の瘤Ｓが形成されようとする場合、図２（ｄ）に示したように本体２が揺動するため、石灰藻の瘤Ｓが海底面と密に接触して、本体２の表面から石灰藻の瘤が除去され得、また完全に除去されない場合であっても石灰藻の繁茂が可及的に抑制される。
【００５３】
なお、本形態では本体２を球状になした場合について説明したが、本発明はこれに限らず、本体はラグビー球状、卵状、円柱状、円筒状等、海底面で回動及び／又は揺動できる形状であればよい。これによって、前同様、当該本体上へ藻食動物が登ることを抑制することができ、本体上へ登ろうとする藻食動物を振り落とすことができる。また、本体の表面に石灰藻が繁殖して石灰藻の瘤が形成されようとする場合であっても、本体が回動又は揺動するため、本体の表面から石灰藻の瘤を除去することができ、また完全に除去されない場合であっても石灰藻の繁茂が可及的に抑制することができる。
【００５４】
次に、このような藻類栽培具を用いて大型藻類を栽培する方法について説明する。
図３及び図４は、図１に示した藻類栽培具を海底に設置する方法を説明する説明図である。なお、図中、図１に示した部分に対応する部分には同じ番号が付してある。
【００５５】
大型藻類の遊走子又は卵の着床等が無い無垢な本体２を用いる場合、藻類栽培具を設置する海域は、図３に示したように、岩場等に大型藻類Ａが繁殖している藻場Ｇが存在しており、当該藻場Ｇに連なる海底が砂質である領域であって、当該藻場Ｇから５ｍ〜３００ｍ程度距離を隔てた位置に藻類栽培具の本体２を配設する。
【００５６】
大部分の種類のウニＵにあっては、海底の砂質領域を忌避する性質を有している。そのため、藻場Ｇと藻類栽培具の本体２との間に、５ｍ〜３００ｍ程度と、十分な距離の海底の砂質領域を介在させることによって、本体２に繁殖する大型藻類のウニＵによる食害を回避することができる。ここで、藻場Ｇと藻類栽培具の本体２との間の距離が５ｍ未満の場合、ウニＵを忌避させる効果が十分ではないため、ウニＵによる食害を回避できない場合が生じる。一方、藻場Ｇと藻類栽培具の本体２との間の距離が３００ｍを超える場合、大型藻類Ａの遊走子又は卵が藻場Ｇから流来する率が少ないため、本体２の表面に大型藻類が繁殖し得ない虞がある。
【００５７】
このような藻類栽培具にあっては、前述したように本体２が印加された外力によって回動又は揺動するため、本体２上へ藻食動物が登ることを抑制することができ、本体２上へ登ろうとする藻食動物を振り落とすことができる。また、本体２の表面に石灰藻が繁殖して石灰藻の瘤が形成されようとする場合であっても、本体２が回動又は揺動するため、本体２の表面から石灰藻の瘤を除去することができる。
【００５８】
ここで、藻類栽培具の本体２を設置する海底の深度については、満潮時において５ｍ程度までの深度であれば、干潮時に波といった外力が本体に作用して本体が回動するため、本体の表面から石灰藻の繁茂を抑制することができる。更に、満潮時の深度が１ｍ以下の場合、本体２の回動又は揺動をより容易に招来させることができるため好適である。また、潮の干満により露出と水没を繰り返す潮間帯に本体２を配置した場合、前述した範囲での本体２の総質量に拘わらず、確実に本体２を回動又は揺動させることができるため更に好適である。
【００５９】
このようにして定めた海域に本体を設置するには、図５に示したように、当該海域の海底に、複数の本体２，２，…を互いに適宜の距離を隔てて配置する。各本体２，２，…を配置するには、海中に潜水した作業員が手作業で実施してもよいし、作業員が船上から海中へ投下することによって実施してもよい。しかしながら、前述したように各本体２，２，…の質量はそれぞれ２８００ｇ以下であるので、海上への運搬作業及び海底への設置作業のいずれの場合も重機を用いることなく、作業員が手作業を実施することが可能である。
【００６０】
このようにして各本体２，２，…の配置が完了すると、樹脂又は金属といった適宜の材質にて構成した網状部材７によって各本体２，２，…を囲繞する。ここで、図５に示した如く、帯状の網状部材７で本体２，２，…を囲繞してもよいし、図６に示した如く、天井を有する網状部材８で本体２，２，…を囲繞してもよい。これによって、潮流又は台風等によって本体２，２，…が流出することを防止することができる。
【００６１】
なお、図５及び図６に示したように、網状部材７又は網状部材８と、本体２，２，…とによって藻類栽培具１ａ，１ｂが構成されている。
【００６２】
一方、本体２の表面の細孔３，３，…（図１参照）に予め、大型藻類の遊走子又は卵を着床させ又は大型藻類の幼胚を移植しておいてもよい。例えば、遊走子又は卵を有する大型藻類によって本体２の周面を包み込む、所謂スポアバック型の種付けによって、本体２の表面に大型藻類の遊走子又は卵を着床させることができる。また、大型藻類の母藻を採取・培養して幼胚を採取し、採取した幼胚をスポイト又はシリンジ等を用いて本体２の表面に播いて、仮根が発生してくるまで静置培養した後、当該本体２を所定の海域中に設置してもよい。
【００６３】
このような本体２を備える藻類栽培具にあっては、前述したような藻場Ｇ（図３参照）の付近に配設せずとも、図４に示したように、既に本体２に大型藻類の遊走子又は卵が着床させてあり、又は幼胚が移植してあるため、藻場の有無に拘わらず、砂質の海底が少なくとも半径５ｍ以上程度広がっている領域の略中央の部分に本体２，２，…を互いに適宜の距離を隔てて配置すればよい。これによって、前同様、本体２に繁殖する大型藻類のウニによる食害を回避することができる。
【００６４】
（発明を実施するための第２の形態）
図７は発明を実施するための第２の形態に係る藻類栽培具の使用様態を示す模式図であり、図５又は図６に示した網状部材７，８に代えて、杭を用いて本体を係留し得るようになしてある。
【００６５】
図７に示したように、藻類栽培具１ｃは、球状の本体２ｃと、撚糸、ワイヤ又はチェーン等、適宜の材料で構成した係留部材６とを具備している。本体２ｃの周面の適宜位置には係留部材６を係止するための係止部（図示せず）が設けてあり、該係止部に係留部材６の一端が係止してある。ここで、係止部は、側面視がＵ字状又はＴ字状の部材を本体２ｃの周面に突設させて構成してもよいし、本体２ｃの周面に断面視がＵ字状のトンネルを開設して構成することもできる。なお、本体２ｃはかかる係止部が設けてある以外は、発明を実施するための第１の形態で説明した本体２と同じ構成になしてある。
【００６６】
前述した係留部材６の他端は棒状の杭部材５の頭部に係止してあり、この杭部材５の頭部を殴打して杭部材５の脚部を海底中へ埋入させることによって、藻類栽培具１ｃを海底の所定位置に配設するようになっている。
【００６７】
このような藻類栽培具１ｃを用いて大型藻類を栽培するには、大型藻類の遊走子又は卵の着床等が無い無垢な本体２ｃを用いる場合、前同様、藻類栽培具１ｃを設置する海域は、岩場等に大型藻類が繁殖している藻場Ｇが存在しており、当該藻場Ｇに連なる海底が砂質である領域（いずれも図３参照）であって、当該藻場Ｇから５ｍ程度〜３００ｍ程度距離を隔てた位置に、前述した如く杭部材５の脚部を海底中へ進入させて本体２ｃを係留することによって、藻類栽培具１ｃを当該位置に配設する。
【００６８】
これによって、本体２ｃの表面の細孔３，３，…（図１参照）内に大型藻類の遊走子又は卵を着床させて、本体２ｃの表面に大型藻類を繁殖させることができる。一方、前述したようにウニは海底の砂質領域を忌避する性質を有しているため、本体２ｃに繁殖する大型藻類のウニによる食害を回避することができる。
【００６９】
また、このような藻類栽培具１ｃにあっては、前同様、外力が印加された場合、本体２ｃが回動又は揺動するため、本体２ｃ上へ藻食動物が登ることを抑制することができ、本体２ｃ上へ登ろうとする藻食動物を振り落とすことができる。また、本体２ｃの表面に石灰藻が繁殖して石灰藻の瘤が形成されようとする場合であっても、本体２ｃが回動又は揺動するため、本体２ｃの表面から石灰藻の瘤を除去することができる。
【００７０】
ところで、本実施の形態に係る藻類栽培具１ｃにあっては、本体２ｃが杭部材５及び係留部材６によって係留されるため、前述した網状部材７，８（図５及び図６参照）の設置が不要であり、網状部材７，８の設置に要する手間及びコストを省くことができる。
【００７１】
なお、かかる藻類栽培具１ｃの本体２ｃを設置する海底の深度は、前同様、満潮時において５ｍ程度までの深度であれば本体２ｃの回動又は揺動を招来させることができるが、満潮時の深度が３ｍ以下の場合、本体２ｃの回動又は揺動をより容易に招来させることができるため好適である。また、潮の干満により露出と水没を繰り返す潮間帯に本体２ｃを配置した場合、前述した範囲での本体２ｃの総質量に拘わらず、確実に本体２ｃを回動又は揺動させることができるため更に好適である。
【００７２】
一方、その表面に予め、大型藻類の遊走子又は卵を着床させ又は大型藻類の幼胚を移植した本体２ｃを用いる場合、藻場の有無に拘わらず、砂質の海底が少なくとも半径５ｍ以上程度広がっている領域の略中央の部分に複数の藻類栽培具１ｃ，１ｃ，…の本体２ｃ，２ｃ，…を互いに適宜の距離を隔てて配置すればよい。これによって、前同様、本体２ｃ，２ｃ，…に繁殖する大型藻類のウニによる食害を回避することができる。
【実施例】
【００７３】
以降では、本発明に係る藻類栽培具について比較試験等を行った結果について説明する。
【００７４】
（実施例１）
海底の砂質領域における藻類栽培具の挙動を検討した。
藻類栽培具として、直径が１５ｃｍの球状の本体を用いた。直径は同じであるが、比重が１．５９、１．４２、１．２７と互いに異なる３種類の本体をそれぞれ３個ずつ用意し、これら本体を福岡県浜崎町にある海底の砂質領域に設置して、全本体の周囲１．５ｍを目合が２５ｍｍで幅が３０ｃｍの帯状のトリカルネットで囲繞するとともに、同じ目合の円板状のトリカルネットで蓋をした。なお、海水の比重は１．０２５（２０℃／３５ｐｓｕ）であった。また、本体を設置した水深は、満潮時で略３．０ｍである。そして、本体を設置してから２０日経過した後に、海底への本体の埋入の有無、及び埋入の程度を測定した。その結果を表１に示す。
【００７５】
【表１】
2017112885.tif 000003
【００７６】
表１から明らかなように、本体の比重が１．５９である場合、即ち本体の比重が海水の比重の略１５５％の場合、全ての本体が５〜１０ｃｍ海底内へ埋入していた。全ての本体がこのように海底内へ埋入していたため、本体の比重が海水の比重の１５５％の場合、当該本体は海底面上で回動又は揺動し得ないものと判断できる。
【００７７】
これに対して、本体の比重が１．２７である場合、即ち本体の比重が海水の比重の略１２５％の場合、全ての本体が海底内へ埋入していなかった。全ての本体がこのように海底内へ埋入していなかったため、本体の比重が海水の比重の１２５％の場合、当該本体は海底面上で期間中常に回動又は揺動し得える状態にあったものと判断できる。
【００７８】
一方、本体の比重が１．４２である場合、即ち本体の比重が海水の比重の略１４０％の場合、海底内へ埋入していない本体が存在する上に、海底内へ埋入した場合であっても、埋入の程度は本体の比重が海水の比重の略１５５％の場合より浅いものもあった。
【００７９】
これらの結果より、本体の比重が海水の比重の略１４０％を超える場合には、当該本体は海底へ埋入して海底面上で回動又は揺動し得ないものと判断できる。また、本体の比重が海水の比重の１２５％の場合、当該本体は海底面上で期間中常に回動又は揺動し得える状態にあるため、より好適である。
【００８０】
（実施例２）
次に、藻類栽培用具の本体の質量と回動される本体における藻類の繁殖状況との関係を検討した結果について説明する。
【００８１】
本体としては、密度が互いに略同じであり、総質量が異なるものを用いた。具体的には、密度が１．５７であり、直径が１０ｃｍの球状、即ち総質量が略８２０ｇの本体をＨ１とし、密度が１．５９であり、直径が１５ｃｍの球状、即ち総質量が略２８００ｇの本体をＨ２とした。
【００８２】
両本体の表面に、ステンレス製針金を用いてそれぞれ４ｃｍ２のコドラートを３ヵ所ずつ設定した後、水槽の海水中に投入した両本体の上側表面全体にアカモクの幼胚を播き、アカモクの仮根が生じるまで両本体を静置させた。次いで、両本体の上下を逆転させ、前同様にアカモクの幼胚を播き、アカモクの仮根が生じるまで両本体を静置させて、両本体の全表面にアカモクを移植した。このようにして得られた両本体を反復振動機のバット中に配置した。
【００８３】
図８は本試験に用いた反復振動機の動作を説明する説明図であり、図中、１０はバットである。バット１０の一側部は可動軸１４によって海水中に揺動自在に支持されており、バット１０の他側部側には当該バット１０が当接する当接部１５が、バット１０の他側底部に対向配置してある。バット１０の底面の周縁部にはスカート部１１が垂下してあり、バット１０の底面には給気装置１６から給気されるようになっている。
【００８４】
このような反復振動機にあっては、図８（ａ）に示したように、バット１０の他端部が当接部１５に当接しており、バット１０の他端部は一端部より下位に位置しているため、バット１０内の本体２はバット１０の他端部側に位置している。給気装置１６からバット１０の底面へ適宜量の給気を行うと、バット１０の底面であってスカート部１１に囲まれた部分に気泡が徐々に溜まって行き、一定量の気泡が溜まると、その浮力によってバット１０の他端部が浮上して行く。このとき、バット１０の一端部は可動軸１４によって支持されているため浮上できず、バット１０の他端部は一端部より上位へ揺動して行くため、図８（ｂ）に示したように、バット１０内の本体２はバット１０の一端部側へ回動して行く。
【００８５】
バット１０の他端部が所定位置より上位へ揺動すると、バット１０のスカート部１１に囲まれた部分から気泡が外へ漏出するので浮力が減少し、バット１０の他端部は一端部より下位へ揺動して行く。これによって、図８（ａ）に示したように、バット１０内の本体２はバット１０の他端部側へ回動して行くため、バット１０の他端部が当接部１５に当接するまでバット１０が揺動する。
【００８６】
反復振動機は給気装置１６から給気される間、上述した揺動動作を繰り返す。バット１０が揺動する間隔は給気装置１６からの給気量によって調整することができ、本実施例では前記図８（ａ）及び（ｂ）の１サイクルを１０分間で実施するように調整した。なお、バット１０は一端から他端までの寸法が８０ｃｍのものを使用した。
【００８７】
このような反復振動機を４台準備しておき、２台のバットに前述した本体Ｈ１をそれぞれ載置し、反復振動させながらアカモクを栽培した結果を本発明例１−１，１−２とした。また、他の２台のバットに前述した本体Ｈ２をそれぞれ載置し、反復振動させながらアカモクを栽培した結果を本発明例２−１，２−２とした。なお、対照として本体Ｈ１及び本体Ｈ２をそれぞれ２個ずつ静置状態でアカモクを栽培した結果を対照例Ｈ１−１，Ｈ１−２、対照例Ｈ２−１，Ｈ２−２とした。ただし、対照例にあっては、いずれのコドラートも本体の底部に位置しないように、本体をバットに載置した。
【００８８】
図９は本発明例１−１に係る本体Ｈ１を撮像した撮像図であり、図１０は対照例Ｈ１−１に係る本体Ｈ１を撮像した撮像図である。いずれもアカモクをその表面に移植した本体を用いて、本体表面のアカモクを２ヵ月間栽培した結果を示している。
【００８９】
図９から明らかなように、アカモクの幼胚を表面全体に移植した本体Ｈ１を反復振動機によって回動させながら栽培すると、本体Ｈ１の略全周面にアカモクの幼体が繁殖していた。従って、大型藻類を栽培するに当たって、本体Ｈ１の全周面を利用することができ、大型藻類の栽培効率を可及的に高くすることができる。
【００９０】
これに対して、図１０から明らかなように、アカモクの幼胚を表面全体に移植した対照例Ｈ１の本体にあっては、本体周面であってバットと対向しない天側半球部分にはアカモクの幼体が繁殖していたものの、本体周面であってバットと対向する底部側半球部分に、アカモク幼体の繁殖は観察されなかった。これは、本体周面であってバットと対向する底部側半球部分には外光が照射されないためであると考えられる。
【００９１】
また、栽培期間中、各本体の表面に移植されたアカモクの幼胚、又は該幼胚から成長した幼体の生残率と、葉長とを計測した。
【００９２】
図１１は総質量が略８２０ｇの本体Ｈ１を用いて反復振動させながらアカモクを栽培した結果を示すグラフであり、横軸は栽培期間を、また縦軸は幼胚・幼体生残率（左側）と葉長（右側）とをそれぞれ示している。また、図中、白抜き丸印は本発明例１−１に係る幼胚・幼体生残率を、中実丸印は本発明例１−２に係る幼胚・幼体生残率を、白抜き四角印は対照例Ｈ１−１に係る幼胚・幼体生残率を、中実四角印は対照例Ｈ１−２に係る幼胚・幼体生残率をそれぞれ示している。更に、白抜きの棒グラフは本発明例１−１に係る葉長と本発明例１−２に係る葉長との平均値を、中実の棒グラフは対照例Ｈ１−１に係る葉長と対照例Ｈ１−２に係る葉長との平均値をそれぞれ示している。なお、これら各結果は本体それぞれに設けた３ヵ所のコドラート内のアカモクを実測した結果を平均した値を用いて示してある。
【００９３】
また、図１２は総質量が略２８００ｇの本体Ｈ２を用いて反復振動させながらアカモクを栽培した結果を示すグラフであり、横軸は栽培期間を、また縦軸は幼胚・幼体生残率（左側）と葉長（右側）とをそれぞれ示している。また、図中、白抜き丸印は本発明例２−１に係る幼胚・幼体生残率を、中実丸印は本発明例２−２に係る幼胚・幼体生残率を、白抜き四角印は対照例Ｈ２−１に係る幼胚・幼体生残率を、中実四角印は対照例Ｈ２−２に係る幼胚・幼体生残率をそれぞれ示している。更に、白抜きの棒グラフは本発明例２−１に係る葉長と本発明例２−２に係る葉長との平均値を、中実の棒グラフは対照例Ｈ２−１に係る葉長と対照例Ｈ２−２に係る葉長との平均値をそれぞれ示している。なお、これら各結果は、前同様、本体それぞれに設けた３ヵ所のコドラート内のアカモクを実測した結果を平均した値を用いて示してある。
【００９４】
図１１から明らかなように、本体Ｈ１を用いた場合、その比重が１．５７であっても、総質量が略８２０ｇと軽量であるため、アカモクの幼胚・幼体生残率にあっては、栽培期間中、静置させた対照例Ｈ１−１，Ｈ１−２の結果と、反復振動によって本体を回動させた本発明例１−１，１−２の結果とは略同じであった。また、アカモクの葉長にあっては、対照例Ｈ１−１，Ｈ１−２の結果より本発明例１−１，１−２の結果の方がやや短いものであったが、栽培期間中、本発明例１−１，１−２ともに漸次右肩上がりで葉長が増大していた。これらの結果より、本体の総質量が略８２０ｇでは、本体を回動させてもその表面にアカモクを良好に栽培できる。
【００９５】
一方、図１２から明らかなように、本体Ｈ２を用いた場合、その比重が１．５９であっても、総質量が略２８００ｇと重いため、アカモクの幼胚・幼体生残率及び葉長ともに、栽培期間中、静置させた対照例Ｈ２−１，Ｈ２−２の結果より、反復振動によって本体を回動させた本発明例２−１，２−２の結果の方が少し劣っていた。また、本発明例２−１，２−２の結果にはバラツキも見られた。更に、本発明例２−１，２−２の葉長は本発明例１−１，１−２の葉長より少し小さい値であった。これらの結果より、本体を回動させてもその表面にアカモクを比較的良好に栽培できる本体の総質量は略２８００ｇが限界であるものと判断することができる。
【００９６】
以上の結果より、本発明に係る藻類栽培具の本体の総質量Ｗ（ｇ）は次の（１）式によって求められる値以下にするとよいことが理解できる。
Ｗ＝２８００×（１．５９／γ）        …（１）
ただし、γは本体の比重
【００９７】
本体の総質量Ｗ（ｇ）が（１）式によって求められる値を超えた場合、前述した本体の表面に出芽しようとする大型藻類の新芽が本体から印加される質量に抗することができないため、大型藻類の繁殖が困難となる。これに対して、本体の総質量Ｗが前記（１）式によって求められる値以下である場合、本体の表面に発生した新芽は柔軟性に富むため、新芽は様々な方向へ姿勢を変更して海底面と密に接触することを避けることができ、本体から印加される質量に抗することができるからである。
【００９８】
（実施例３）
次に、本発明に係る藻類栽培具のウニによる食害防止を検証した結果について説明する。
図１３は、大型藻類を取り付けた本体とウニとを同一水槽中に配置させ、それらを経時的に撮像した撮像図である。
【００９９】
球状の本体の比重は１．１９であり、直径が１０ｃｍ、即ち総質量は略６５０ｇである。この本体の表面に１０ｃｍ程度の長さのワカメを紐で固定し、当該本体を水槽中に大型藻類を固定した部分が天位になるように配置した。同じ水槽中に複数のムラサキウニを投入し、本体及びムラサキウニを経時的に撮像した。
【０１００】
図１３（ａ）に示したように、当初、水槽中のムラサキウニは本体に当接するまで接近するが、当該ムラサキウニは本体と海底面とがなす角部に入り込んでしまって反転できずに、本体周囲に形成された環状の角部内を本体の中心軸と同軸上に移動している。ムラサキウニの口部は腹面の略中央に位置するため、反転できずに環状の角部内を本体の中心軸と同軸上に移動するムラサキウニにあっては、その口部が本体の表面に接触しないので、本体表面の藻類を食することができない。
【０１０１】
時間が経過すると、図１３（ｂ）に示したように、稀ではあるが、本体と海底面とがなす角部に入り込んだムラサキウニが反転して本体上へ登ろうとすることがある。しかしながら、図１３（ｃ）に示したように、かかる場合、当該ムラサキウニの重みが本体に外力となって作用して本体が回動し、ムラサキウニは本体から振り落とされた。
【０１０２】
このように、本体表面に固定した大型藻類がムラサキウニによって食されることが防止されていた。
【０１０３】
以上の結果より、本発明に係る藻類栽培具の本体の総質量Ｗ（ｇ）は、好ましくは次の（２）式又は（３）式によって求められる値以下にするとよいことが理解できる。
Ｗ＝  ６５０×（γ１／１．１９）        …（２）
Ｗ＝  ６５０×（１．１９／γ２）        …（３）
ただし、γ１，γ２は本体の比重
γ１≧１．１９
γ２＜１．１９
【０１０４】
本体の総質量Ｗが前記（２）式又は（３）式によって求められる値以下である場合、海底面の本体が当接する部分に印加される質量がより少ないため、本体の表面に大型藻類を確実に生育させることができるのに加え、海流が弱い海域又は深度がより大きい海域等、本体を回動させる外力が比較的弱い海域に本体が設置された場合であっても、本体が十分に回動又は揺動することができるからである。
【０１０５】
（追記）
ところで、以上詳述した事柄から次の発明が含まれていると言える。
すなわち、（８）本発明に係る藻類栽培具は、前記本体を囲繞する網状部材を備えることを特徴とする。
【０１０６】
本発明の藻類栽培具にあっては、本体を囲繞する網状部材を備えており、１又は複数の本体を海底の適宜位置に設置し、その周囲を網状部材で囲繞する。この場合、帯状の網状部材で本体を囲繞してもよいし、天井を有する網状部材で本体を囲繞してもよい。これによって、潮流又は台風等によって本体が流出することを防止することができる。
【０１０７】
（９）本発明に係る藻類栽培方法は、前述した（１）から（６）のいずれかに記載の藻類栽培具を用いてコンブ・ワカメ・アカモク・ヒジキ等の大型藻類を栽培するに際して、海底の砂質領域であって、前記大型藻類が繁殖している藻場から５ｍ〜３００ｍ程度の距離を隔てた位置に前記藻類栽培具の本体を配置することを特徴とする。
【０１０８】
本発明の藻類栽培方法にあっては、本体に外力が印加された場合、前述したように本体が回動又は揺動するため、本体上へ藻食動物が登ることを抑制することができ、本体上へ登ろうとする藻食動物を振り落とすことができる。また、本体の表面に石灰藻が繁殖して石灰藻の瘤が形成されようとする場合であっても、本体が回動又は揺動するため、本体の表面から石灰藻の瘤を除去することができる。
【０１０９】
更に、海底の砂質領域であって、前記大型藻類が繁殖している藻場から５ｍ〜３００ｍ程度の距離を隔てた位置に前記藻類栽培具の本体を配置する。藻食動物、特にウニにあっては、多くの種類で、海底の砂質の領域を忌避する性質を有している。そのため、藻場と藻類栽培具の本体との間に、５ｍ〜３００ｍ程度と、十分な距離の海底の砂質領域を介在させることによって、本体に繁殖する大型藻類のウニによる食害を回避することができる。
【０１１０】
ここで、藻場と藻類栽培具の本体との間の距離が５ｍ未満の場合、ウニを忌避させる効果が十分ではないため、ウニによる食害を回避できない場合が生じる。一方、藻場と藻類栽培具の本体との間の距離が３００ｍを超える場合、大型藻類の遊走子又は卵が藻場から流来する率が少ないため、本体の表面に大型藻類が繁殖し得ない虞がある。
【０１１１】
一方、藻場と本体との間の距離が３００ｍ未満の場合、藻場から流来する大型藻類の遊走子又は卵が本体の表面に着床して大型藻類を繁殖させることができる。
【０１１２】
（１０）本発明に係る藻類栽培方法は、前記（１）から（６）のいずれかに記載の藻類栽培具を用いてコンブ・ワカメ・アカモク・ヒジキ等の大型藻類を栽培するに際して、前記藻類栽培具の本体に予め、前記大型藻類の遊走子又は卵を着床させ、又は前記大型藻類の幼胚を移植し、遊走子又は卵が発芽して又は幼胚が成長して、仮根が生じるまで本体を静置させた状態で栽培し、その後、海底の少なくとも半径が５ｍの砂質領域の略中央部分に前記本体を設置することを特徴とする。
【０１１３】
本発明の藻類栽培方法にあっては、藻類栽培具の本体に予め、大型藻類の遊走子又は卵を着床させ、又は前記大型藻類の幼胚を移植する。例えば、遊走子又は卵を保有している大型藻類本体の周囲を包み込んで前記遊走子又は卵を本体の表面に着床させることができる。また、大型藻類の母藻を採取して培養し、幼胚を得、得られた幼胚を本体の表面に播いて当該幼胚を本体に移植する。そして、遊走子又は卵が発芽して又は幼胚が成長して、仮根が生じるまで本体を静置させた状態で栽培する。これによって、遊走子又は卵又は幼胚が成長した幼体を本体に固着させることができるため、その後に本体を海底に設置しても、本体から幼体が脱落することが防止される。
【０１１４】
その後、かかる本体を、海底の少なくとも半径が５ｍの砂質領域の略中央部分に設置する。
【０１１５】
本体に外力が印加された場合、前述したように本体が回動又は揺動するため、本体上へ藻食動物が登ることを抑制することができ、本体上へ登ろうとする藻食動物を振り落とすことができる。また、本体の表面に石灰藻が繁殖して石灰藻の瘤が形成されようとする場合であっても、本体が回動又は揺動するため、本体の表面から石灰藻の瘤を除去することができる。
【０１１６】
一方、幼体を固着させた本体を海底の少なくとも半径が５ｍの砂質領域の略中央部分に設置するため、藻場の有無に拘わらず、本体の表面に大型藻類を確実に繁殖させることができ、また、海底の砂質が少なくとも半径５ｍ以上程度広がっている領域の略中央の部分に本体を設置するため、前同様、本体に繁殖する大型藻類のウニによる食害を回避することができる。
【符号の説明】
【０１１７】
１ａ  藻類栽培具
１ｂ  藻類栽培具
１ｃ  藻類栽培具
２    本体
２ｃ  本体
３    細孔
５    杭部材
６    係留部材
７    網状部材
８    網状部材
Ａ    藻
Ｇ    藻場
Ｕ    ウニ
【図１】
2017112885.tif 000004
【図２】
2017112885.tif 000005
【図３】
2017112885.tif 000006
【図４】
2017112885.tif 000007
【図５】
2017112885.tif 000008
【図６】
2017112885.tif 000009
【図７】
2017112885.tif 000010
【図８】
2017112885.tif 000011
【図９】
2017112885.tif 000012
【図１０】
2017112885.tif 000013
【図１１】
2017112885.tif 000014
【図１２】
2017112885.tif 000015
【図１３】
2017112885.tif 000016
【図１４】
2017112885.tif 000017
【手続補正書】
【提出日】平成28年11月19日(2016.11.19)
【手続補正１】
【補正対象書類名】特許請求の範囲
【補正対象項目名】全文
【補正方法】変更
【補正の内容】
【特許請求の範囲】
【請求項１】
コンブ・ワカメ・アカモク・ヒジキ等の大型藻類を栽培する藻類栽培具において、
前記大型藻類を繁殖させる本体を備え、
該本体は回動可能な形状になっており、
前記本体の比重は当該本体が設置される海域の海水の比重の１００％以上１４０％以下であり、前記本体の総質量Ｗ（ｇ）は次式によって求められる値以下であり、
外力が印加された場合、前記本体が回動又は揺動するようになっている
ことを特徴とする藻類栽培具。
Ｗ＝２８００×（１．５９／γ）
ただし、γは本体の比重
【請求項２】
前記本体の比重は前記海域の海水の比重の１００％以上１２５％以下である請求項１記載の藻類栽培具。
【請求項３】
前記本体の総質量Ｗ（ｇ）は次のいずれかの式によって求められる値以下である請求項２記載の藻類栽培具。
Ｗ＝６５０×（γ１／１．１９）
Ｗ＝６５０×（１．１９／γ２）
ただし、γ１、γ２は本体の比重
γ１≧１．１９
γ２＜１．１９
【請求項４】
海底に埋入させる杭部材と、該杭部材と前記本体との間を連結する連結部材とを具備する請求項１から３のいずれかに記載の藻類栽培具。
【請求項５】
本体の表面に複数の細孔及び／又は凹部が設けてある請求項１から４のいずれかに記載の藻類栽培具。
【請求項６】
請求項１から５のいずれかに記載の藻類栽培具を用いてコンブ・ワカメ・アカモク・ヒジキ等の大型藻類を栽培するに際して、
前記本体は満潮時の水深が５ｍ以下の海域に設置することを特徴とする藻類栽培方法。
【手続補正２】
【補正対象書類名】明細書
【補正対象項目名】００１６
【補正方法】変更
【補正の内容】
【００１６】
更に、本発明に係る藻類栽培具は、前記本体の比重は当該本体が設置される海域の海水の比重の１００％以上１４０％以下であり、前記本体の総質量Ｗ（ｇ）は次式によって求められる値以下であり、外力が印加された場合、前記本体が回動又は揺動するようになっていることを特徴とする。
Ｗ＝２８００×（１．５９／γ）
ただし、γは本体の比重
【手続補正３】
【補正対象書類名】明細書
【補正対象項目名】００２１
【補正方法】変更
【補正の内容】
【００２１】
（２）本発明に係る藻類栽培具は、前記本体の比重は前記海域の海水の比重の１００％以上１２５％以下であることを特徴とする。
【手続補正４】
【補正対象書類名】明細書
【補正対象項目名】００２３
【補正方法】変更
【補正の内容】
【００２３】
（３）本発明に係る藻類栽培具は、前記本体の総質量Ｗ（ｇ）は次のいずれかの式によって求められる値以下であることを特徴とする。
Ｗ＝６５０×（γ１／１．１９）
Ｗ＝６５０×（１．１９／γ２）
ただし、γ１、γ２は本体の比重
γ１≧１．１９
γ２＜１．１９
【手続補正５】
【補正対象書類名】明細書
【補正対象項目名】００２７
【補正方法】変更
【補正の内容】
【００２７】
（４）本発明に係る藻類栽培具は、海底に埋入させる杭部材と、該杭部材と前記本体との間を連結する連結部材とを具備することを特徴とする。
【手続補正６】
【補正対象書類名】明細書
【補正対象項目名】００２９
【補正方法】変更
【補正の内容】
【００２９】
（５）本発明に係る藻類栽培具は、本体の表面に複数の細孔及び／又は凹部が設けてあることを特徴とする。
【手続補正７】
【補正対象書類名】明細書
【補正対象項目名】００３１
【補正方法】変更
【補正の内容】
【００３１】
（６）本発明に係る藻類栽培方法は、前記本体は満潮時の水深が５ｍ以下の海域に設置することを特徴とする。
【手続補正書】
【提出日】平成29年5月13日(2017.5.13)
【手続補正１】
【補正対象書類名】特許請求の範囲
【補正対象項目名】全文
【補正方法】変更
【補正の内容】
【特許請求の範囲】
【請求項１】
コンブ・ワカメ・アカモク・ヒジキ等の大型藻類を栽培する藻類栽培具において、
前記大型藻類を繁殖させる本体を備え、
該本体は回動可能な形状になっており、
前記本体の比重は当該本体が設置される海域の海水の比重の１００％以上１４０％以下であり、前記本体の総質量Ｗ（ｇ）は次式によって求められる値以下であり、
外力が印加された場合、前記本体が回動又は揺動するようになっている
ことを特徴とする藻類栽培具。
Ｗ＝２８００×（１．５９／γ）
ただし、γは本体の比重
【請求項２】
前記本体の比重は前記海域の海水の比重の１００％以上１２５％以下である請求項１記載の藻類栽培具。
【請求項３】
前記本体の総質量Ｗ（ｇ）は次のいずれかの式によって求められる値以下である請求項２記載の藻類栽培具。
Ｗ＝６５０×（γ１／１．１９）
Ｗ＝６５０×（１．１９／γ２）
ただし、γ１、γ２は本体の比重
γ１≧１．１９
γ２＜１．１９
【請求項４】
海底に埋入させる杭部材と、該杭部材と前記本体との間を連結する連結部材とを具備する請求項１から３のいずれかに記載の藻類栽培具。
【請求項５】
本体の表面に複数の細孔及び／又は凹部が設けてある請求項１から４のいずれかに記載の藻類栽培具。
【手続補正２】
【補正対象書類名】明細書
【補正対象項目名】０００８
【補正方法】変更
【補正の内容】
【０００８】
しかしながら、このような従来の藻場増殖礁にあっては、育成部材３２は最下段の環状フレームから適宜高さを隔てた位置に取り付けられているため、藻食動物による食害を低減させることは期待できるが、藻食動物が金属製の網を登ることは不可能ではないため、所望の食害防止効果を奏し得ない。更には、育成部材３２に石灰藻が付着繁殖して大型藻類の発育を阻害する虞があるという問題もあった。
【手続補正３】
【補正対象書類名】明細書
【補正対象項目名】０００９
【補正方法】変更
【補正の内容】
【０００９】
本発明は斯かる事情に鑑みてなされたものであって、所望の食害防止効果を奏し得、更に石灰藻の繁殖を防止することができる藻類栽培具、及び当該藻類栽培具を用いて大型藻類を栽培する方法を提供する。
【手続補正４】
【補正対象書類名】明細書
【補正対象項目名】００２０
【補正方法】変更
【補正の内容】
【００２０】
本体の総質量Ｗ（ｇ）が上式によって求められる値を超えた場合、本体の表面に出芽しようとする大型藻類の新芽が本体から印加される質量に抗することができないため、大型藻類の繁殖が困難となる。これに対して、本体の総質量Ｗが上式によって求められる値以下である場合、本体の表面に発生した新芽は柔軟性に富むため、新芽は様々な方向へ姿勢を変更して海底面と密に接触することを避けることができ、大型藻類は本体から印加される質量に抗して繁殖することができる。
【手続補正５】
【補正対象書類名】明細書
【補正対象項目名】００２６
【補正方法】削除
【補正の内容】